(57)【特許請求の範囲】
【請求項１】
電子ビームの照射を受けてＸ線を放出する回転陽極と、この回転陽極に対向して設けられ前記電子ビームを放出する陰極構体と、前記回転陽極に連結された回転体と、この回転体の内側に配置された固定体と、前記回転体及び固定体の間に設けられた軸受と、前記回転陽極及び前記陰極構体、前記回転体、前記固定体を内部に収容し一部にＸ線透過窓が設けられた真空外囲器とを具備した回転陽極型Ｘ線管において、上記固定体は、上記回転陽極の中心部を貫通するとともに上記陰極構体側および陽極側の両端部が上記真空外囲器の一部にそれぞれ結合され且つ上記陰極構体側は回転中心軸に対し斜めに延長して前記真空外囲器への結合部が回転中心軸に対して前記陰極構体と反対側にずれた位置にあることを特徴とする回転陽極型Ｘ線管。
【請求項２】
電子ビームの照射を受けてＸ線を放出する回転陽極と、この回転陽極に対向して設けられ前記電子ビームを放出する陰極構体と、前記回転陽極に連結された回転体と、この回転体の内側に配置された固定体と、前記回転体及び固定体の間に設けられた軸受と、前記回転陽極及び前記陰極構体、前記回転体、前記固定体を内部に収容し一部にＸ線透過窓が設けられた真空外囲器とを具備し、上記固定体は、上記回転陽極の中心部を貫通するとともに上記陰極構体側および陽極側の両端部が上記真空外囲器の一部にそれぞれ結合され且つ上記陰極構体側は回転中心軸に対し斜めに延長して前記真空外囲器への結合部が前記回転陽極及び回転体の回転中心軸からずれた位置にある回転陽極型Ｘ線管において、上記固定体の上記陰極構体側端部は、複数方向に分岐して延長され、これら各分岐延長端部が回転中心軸からずれた位置で上記真空外囲器にそれぞれ結合されている回転陽極型Ｘ線管。
【請求項３】
上記固定体には、その長さ方向に絶縁性冷却媒体が通る貫通孔が設けられている請求項１記載の回転陽極型Ｘ線管。
【請求項４】
上記軸受は、上記回転体と固定体とが狭い軸受間隙を介して接する軸受面にらせん溝が形成されるとともに、前記軸受間隙およびらせん溝に液体金属潤滑剤が供給された動圧式すべり軸受である請求項１記載の回転陽極型Ｘ線管。
【請求項５】
収容容器内に請求項３記載のＸ線管が収容されており、このＸ線管の絶縁性冷却媒体が通る貫通孔を有する固定体の延長端部が、直接または電気絶縁体製のパイプを介して前記収容容器の壁に設けられた絶縁性冷却媒体流通孔に接続されているＸ線管装置。
【請求項６】
電子ビームの照射を受けてＸ線を放出する接地電位の回転陽極と、この回転陽極に対向して設けられ前記電子ビームを放出する陰極構体と、前記回転陽極に連結された回転体と、この回転体の内側に配置された固定体と、前記回転体及び固定体の間に設けられた軸受と、前記回転陽極及び前記陰極構体、前記回転体、前記固定体を内部に収容し一部にＸ線透過窓が設けられ一部が金属製の真空外囲器とを具備した回転陽極型Ｘ線管において、上記固定体は、上記回転陽極の中心部を貫通するとともに上記陰極構体側および陽極側の両端部が上記真空外囲器の一部にそれぞれ結合され且つ上記陰極構体側は回転中心軸に対し斜めに延長して前記真空外囲器への結合部が真空外囲器の金属製部分で回転中心軸に対して前記陰極構体と反対側にずれた位置にあることを特徴とする回転陽極型Ｘ線管。
【発明の詳細な説明】
【０００１】
【発明の属する技術分野】
この発明は、回転陽極型Ｘ線管およびそれを内蔵したＸ線管装置に関する。
【０００２】
【従来の技術】
回転陽極型Ｘ線管は、真空外囲器内に円盤状回転陽極、この回転陽極のタ一ゲット部に電子ビームを照射する陰極構体、回転陽極が連結された回転体、この回転体との間に軸受が形成された固定体などが配置されている。真空外囲器外には、回転体を回転させるための回転磁界を発生するステータコイルが配置されている。
【０００３】
このような構成の回転陽極型Ｘ線管やステータコイルは、通常、絶縁媒体が充填され循環されるように構成されたＸ線管収容容器内に収納されたＸ線管装置として、ＣＴスキャナ等のＸ線装置に搭載され、使用に供される。このＸ線管装置において、回転陽極型Ｘ線管と収容容器との隙間に流される絶縁媒体は、動作中に高電位差となる部材間の電気的な絶縁を確保するとともに、回転陽極型Ｘ線管を冷却するためにも必要なものである。
【０００４】
上記した構成において、真空外囲器外に配置されたステータコイルが回転磁界を発生し、この回転磁界によって陽極タ一ゲットを回転させる。この状態で、陰極から陽極タ一ゲット部に電子ビームを衝突させ、陽極タ一ゲット部からＸ線を発生させる。
【０００５】
ところで、回転陽極型Ｘ線管では、回転体と固定体との間に軸受が設けられる。軸受としては、玉軸受のようなころがり軸受、あるいは、軸受面にらせん溝を形成し、軸受面やらせん溝に、ガリウム（Ｇａ）やガリウムーインジウムー錫（Ｇａ−Ｉｎ−Ｓｎ）合金などの液体金属潤滑剤を満たした動圧式すべり軸受が用いられている。
【０００６】
動圧式すべり軸受を用いた回転陽極型Ｘ線管については、特公平３−７７６１７号や特開平３−１８２０３７号、特開平５−１４４３９６号、特開平８−２４１６８６号の各公報、および、米国特許第５８３８７６３号明細書などに開示されている。
【０００７】
【発明が解決しようとする課題】
回転陽極型Ｘ線管に用いられる動圧式すべり軸受は、軸受面がたとえば２０μｍ程度の微小な間隙に保たれ、らせん溝および軸受間隙に液体金属潤滑剤が充填されている。この場合、液体金属潤滑剤が軸受間隙の全体にくまなく行き渡らないと、すべり軸受の動圧が十分に得られず、安定な軸受動作が維持されない。極端な場合は、軸受面どうしがかじり合いを起こし、回転不能になったり、破損を引き起こしたりする。
【０００８】
また、従来実用になっている動圧式すべり軸受は、片持ち構造となっている。そのため、回転陽極の重量が大きいほど、Ｘ線管収容容器に固定する軸受固定体の端部に大きな応力がかかり、機械的な安定性に問題が生じる。また、軸受部分の液体金属潤滑剤が受ける遠心力などの影響によって圧力にアンバランスが生じると、液体金属潤滑剤が軸受から漏れ易く、円盤状回転陽極が円滑に回転できなくなることが考えられる。
【０００９】
このような問題を解決するために、動圧式すべり軸受を両持ち構造にする発明が、例えば米国特許第５８３８７６３号明細書に開示されている。これは、軸受の固定体の両側が回転中心軸に沿って延長されて真空外囲器にそれぞれ結合されている。また、固定体は中空状になっており、冷却用の絶縁媒体が流通できるようになっている。
【００１０】
このような構成の回転陽極型Ｘ線管においては、高電位差となる回転陽極や軸受固定体延長部と、陰極構造体との間を放電防止に十分な空間距離にする必要があるため、Ｘ線管の軸方向の長さおよび半径方向の直径を不所望に大きくせざるを得ないという不都合がある。
【００１１】
この発明は、上記した不都合を解消し、とくに陰極構体側の耐電圧性能を十分維持するとともにコンパクトな回転陽極型Ｘ線管およびそれを内蔵したＸ線管装置を提供することを目的とする。
【００１２】
【課題を解決するための手段】
この発明の回転陽極型Ｘ線管は、電子ビームの照射を受けてＸ線を放出する回転陽極と、この回転陽極に対向して設けられ前記電子ビームを放出する陰極構体と、前記回転陽極に連結された回転体と、この回転体の内側に配置された固定体と、前記回転体及び固定体の間に設けられた軸受と、前記回転陽極及び前記陰極構体、前記回転体、前記固定体を内部に収容し一部にＸ線透過窓が設けられた真空外囲器とを具備した回転陽極型Ｘ線管において、上記固定体は、上記回転陽極の中心部を貫通するとともに上記陰極構体側および陽極側の両端部が上記真空外囲器の一部にそれぞれ結合され且つ上記陰極構体側は回転中心軸に対し斜めに延長して前記真空外囲器への結合部が回転中心軸に対して前記陰極構体と反対側にずれた位置にあることを特徴とする。
【００１３】
また、この発明のＸ線管装置は、収容容器内に請求項３記載のＸ線管が収容されており、このＸ線管の絶縁性冷却媒体が通る貫通孔を有する固定体の延長端部が、直接または電気絶縁体製のパイプを介して前記収容容器の壁に設けられた絶縁性冷却媒体流通孔に接続されていることを特徴とする。
【００１４】
【発明の実施の形態】
本発明の実施形態について図１乃至図３を参照して説明する。符号１１はＸ線管収容容器であり、この収容容器１１の内部に回転陽極型Ｘ線管１２が収納されている。収容容器１１の主要部分はアルミニウムの鋳物で構成され、内面の一部には、Ｘ線が漏れないように図示しない鉛板が張られている。
【００１５】
また、収容容器１１の端壁１１ａは平坦に構成され、この端壁１１ａに絶縁性冷却媒体たとえば絶縁油或いは絶縁ガスのような絶縁媒体を導入または排出する図示しない流通孔が設けられている。さらに、この収容容器１１の側壁部分１１ｂにはＸ線を出力するＸ線出力窓１３が設けられ、収容容器１１と回転陽極型Ｘ線管１２との隙間には絶縁媒体が満たされ、この絶縁媒体は図示しない外部の熱交換器やポンプ等により循環可能になっている。
【００１６】
回転陽極型Ｘ線管１２は真空外囲器１４を有し、この真空外囲器１４は、直径の大きい金属製径大部分１４ａや、直径の小さいガラス製径小部分１４ｂ、この径小部分１４ｂの開口端部を閉塞する金属製のシールリング１４ｃなどから構成されている。径大部分１４ａと径小部分１４ｂとは、金属製の連結部材１５で連結されている。径大部分１４ａのＸ線出力窓１３に対応する位置には、Ｘ線を透過するＸ線透過窓１４ｄが設けられている。
【００１７】
真空外囲器の径大部分１４ａの内側には、円盤状の回転陽極１６が配置され、この円盤状回転陽極１６の上面側には所定厚さの陽極ターゲット部１７が環状に設けられている。そして、回転陽極ターゲット部１７と対向する位置に、たとえば大小２つの電子放出フィラメント１８を備える陰極構体１９が配置されている。この陰極構体１９は、先端の合致部分２０ａが気密溶接された一対の封着用金属円筒２０を介して真空外囲器の端壁１４ｅのＸ線透過窓１４ｄに近い領域に気密接合されたリング状絶縁セラミックス２１によって保持されている。
【００１８】
円盤状回転陽極１６は、ナット２２によって円筒状回転体２３の図示上端部２３ａに固定されている。回転体２３の下方部の外周には銅製のロータ円筒２４の一部が固着され、その他の多くの部分には断熱間隙２５が設けられている。
【００１９】
そして、回転体２３の内側には円柱状の固定体２６が挿入されている。これら回転体２３と固定体２６とは、動圧式すべり軸受の主要構成部材である。そのため、固定体２６は、図３にも詳細に示すように、中間部の窪み２７の上下両側に２組のラジアル方向動圧式すべり軸受２８，２９のためのヘリンボンパターンらせん溝２８ａ，２９ａが形成されている。また、図示下方には直径の大きい径大部３０が設けられており、その上下面に一対のスラスト方向動圧式すべり軸受３１，３２のためのサークル状ヘリンボンパターンらせん溝３１ａ，３２ａが形成されている。
【００２０】
さらに、固定体の上部には径小延長部３３が設けられ、下部には径大延長部３４が設けられている。固定体の上部径小延長部３３の根元部分には、液体金属潤滑剤が図の上方に漏れるのを防止するポンプ用らせん溝３５が形成され、またその肩部には同様に潤滑剤漏出防止ポンプ用のらせん溝３６が形成されている。
【００２１】
回転体２３の図示上方部分２３ａの内側空間２３ｂは、その内径が大きく形成されている。そして、この内側空間２３ｂの底部となる固定体２６の肩部付近のポンプ用のらせん溝３５，３６に接し、この開口領域を塞ぐように、第１のスラストリング３７が回転体に図示しない複数個のねじで固定されている。
【００２２】
また、固定体下方部分の径大部３０の下面側には、この部分のらせん溝３２ａに接し且つ回転体下方の開口領域を塞ぐように、第２のスラストリング３８が回転体に図示しない複数個のねじで固定されている。そして、固定体下方の径大延長部３４には、シール用金属ディスク３９が気密溶接され、このディスク３９の外周突出部がシールリング１４ｃに気密溶接されている。そして、各軸受領域を含む軸受間隙や中央の窪み２７には、少なくとも動作中に液状である例えばＧａ合金等の金属潤滑剤が供給される。
【００２３】
さて、固定体上部の径小延長部３３は、回転中心軸Ｃに沿って回転陽極１６の上面部すなわち回転体の径大な上端部２３ａの開口部付近まで延長されている。そしてこの径小延長部３３の先端部に、斜めに伸びる金属棒からなる固定体支持アーム４０の一端部４０ａが溶接により一体的に結合されている。この固定体支持アーム４０の他端部４０ｂは、真空外囲器の端壁１４ｅの一部すなわち中心軸Ｃに対して陰極構体１９とは反対側の位置に設けられたリング状絶縁セラミックス４１の中央部に機械的に固定されている。
【００２４】
リング状絶縁セラミックス４１は、先端の合致部分４２ａが気密溶接された一対の封着用金属円筒４２を介して真空外囲器の端壁１４ｅに気密接合されている。また、絶縁セラミックス４１の中央透孔には、金属パイプ４３が気密接合されており、この金属パイプ４３の内側に固定体支持アーム４０の先端部が密に挿入され、先端が気密溶接部４４で真空気密に連結されている。
【００２５】
こうして、軸受の固定体の陰極構体側は、中心軸Ｃを挟んで陰極構体１９およびＸ線透過窓１４ｄとは反対側に斜めに延長されて、真空外囲器の一部に電気的に絶縁され機械的に結合されている。この実施形態の場合、この結合部は固定体支持アームの先端気密溶接部４４である。
【００２６】
なお、回転陽極型Ｘ線管１２は、Ｘ線管収容容器１１の内部に、Ｘ線透過窓１４ｄとＸ線出力窓１３とが一致するようにして収容、固定されている。また、収容容器１１のフランジ４５に壺状の絶縁体製保持枠４６が固定され、この保持枠４６の底部に金属リング４７が固定されている。そして、この金属リング４７の中央透孔にＸ線管の真空外囲器外に伸びた固定体下端部３４が密に挿入され、その雄ねじ部にナット４８が螺合され、締付け固定されている。なお、収容容器１１のフランジ４５には、ステータコイル４９の鉄芯５０が固定されている。なお、Ｘ線管の陰極構体側は、図示しない絶縁体により収容容器に機械的に保持されている。なお、固定体下端部３４は陽極端子を兼ねている。
【００２７】
また、図示しない絶縁油など絶縁媒体の導入ホースおよび排出ホースが収容容器に接続され、これらは外部の図示しない熱交換器や循環用ポンプに接続されている。そして、このＸ線管装置を搭載した例えばＣＴスキャナにおいては、Ｘ線管の真空容器の金属製部分および収容容器が接地Ｅとなるように接続され、陽極端子である固定体下端部３４に一方の高電圧電源５１のプラス極が電気的に接続され、陰極構体１９にフィラメント加熱電源５２が接続されるとともに、他方の高電圧電源５３のマイナス極がフィラメント１８に電気的に接続されている。これらの高電圧電源５１，５３は、中性点接地方式の電源であり、それぞれの電源電圧は例えば７０ｋＶであり、それによって陰極構体のフィラメント１８と回転陽極１６との間には１４０ｋＶの高電圧が印加されて動作させられる。そして、Ｘ線５４が出力窓１３から外部に放射される。
【００２８】
また、Ｘ線管装置の動作において、Ｘ線管の固定体２６は、その下端部３４が絶縁媒体により冷却されるとともに、支持アームの先端部４０ｂも絶縁媒体に接して冷却される。なお支持アームの真空外囲器から外部に露出した先端部４０ｂを絶縁物で覆って、収容容器との間の耐電圧性を高めるように構成してもよい。
【００２９】
このような本発明の構成によれば、Ｘ線管の動圧式すべり軸受を構成している固定体の陰極構体側延長端部が、中心軸Ｃからずれた方向に折曲げ延長されている。そして、この延長端部４０ｂは、陰極構体１９およびＸ線透過窓１４ｄとは反対側に中心軸Ｃからずれた位置で真空外囲器の一部に機械的に結合されている。それによって、動作中に陰極構体と軸受の固定体との間に高い電位差があっても、両者間の距離が放電防止に必要な空間距離を十分確保できる。
【００３０】
そのため、回転陽極型Ｘ線管およびそれを内蔵したＸ線管装置を特に管軸方向の長さ或いは半径方向の直径を不所望に大きくせず、コンパクトに構成しながら、放電の発生のおそれは少ない。そして、これは回転陽極を支持する軸受の固定体を両側で真空外囲器に結合保持するタイプなので、質量が比較的大きい回転陽極をも安定に支持し、信頼性の高い動作を維持することができる。
【００３１】
次に、図４に示す実施形態を説明する。図１乃至図３に示した実施形態と同一部分は同一符号であらわし、重複した説明を省略する。この実施形態においては、固定体２６の上部径小延長部３３に固定体支持アーム４０の一端部４０ａがろう接により一体結合され、そして回転中心軸Ｃに対して陰極構体１９およびＸ線透過窓１４ｄとは反対方向に垂直に延長され、その端部４０ｂが真空外囲器の金属製径大部側壁１４ａの内面にろう接により固定されたセラミックス製絶縁碍子５５の先端に固着されている。
【００３２】
この実施形態によれば、軸受構成部材である固定体の陰極構体側延長端部が、中心軸Ｃからずれた位置、すなわち陰極構体１９およびＸ線透過窓１４ｄとは反対方向に延長されて真空外囲器の側壁に絶縁碍子を介して固定されているので、陰極構体と接地電位部材との間の耐電圧性およびコンパクト性が十分維持される。
【００３３】
図５に示す実施形態は、回転陽極を真空外囲器の金属製部分とともに接地電位にして動作させる場合に適する回転陽極型Ｘ線管およびそれを内蔵したＸ線管装置である。なお、前述の実施形態と同一部分は同一符号であらわし、重複した説明を省略する。
【００３４】
すなわち、固定体２６の上部径小延長部３３に結合された固定体支持アーム４０は、回転中心軸Ｃに対して陰極構体１９およびＸ線透過窓１４ｄとは反対側に斜めに延長され、その端部４０ｂが真空外囲器の金属製端壁１４ｅに溶接部４４で直接固定されている。なお、符号１４ｆは、予め分割して製作した真空外囲器の金属製径大円筒側壁１４ａと端壁１４ｅとの気密溶接部をあらわしている。
【００３５】
この実施形態によれば、軸受構成部材である固定体の陰極構体側延長端部が、中心軸Ｃからずれた位置、すなわち陰極構体１９およびＸ線透過窓１４ｄとは反対側に中心軸Ｃからずれた位置で真空外囲器の端壁に直接固定されているので、製作が比較的容易で、陰極構体と接地電位部材との間の耐電圧性およびコンパクト性が十分維持される。なお、この回転陽極型Ｘ線管及びＸ線管装置は、回転陽極を接地電位で動作させるのに適している。
【００３６】
図６に示す実施形態は、動圧式すべり軸受の構成部材である固定体２６が中空体で構成され、その内部に絶縁油等の絶縁媒体を流通させ得るように構成した回転陽極型Ｘ線管、およびそれを内蔵したＸ線管装置である。なお、前述の実施形態と同一部分は同一符号であらわし、重複した説明を省略する。
【００３７】
すなわち、固定体上部のパイプ状径小延長部３３に、中継用短円筒体５６が気密結合されている。そして、この短円筒体５６にパイプ状の固定体支持アーム４０の一端部４０ａが結合され、回転中心軸Ｃに対して陰極構体１９およびＸ線透過窓１４ｄとは反対側に斜めに延長され、その他端部４０ｂが真空外囲器の金属製端壁１４ｅの一部に設けられた絶縁セラミックス４１の中央透孔に気密接合された金属パイプ４３を貫通して先端部が気密溶接部４４で真空気密に結合されている。
【００３８】
さらに、このパイプ状固定体支持アームの他端部４０ｂと金属パイプ４３との接合部の外周には、絶縁媒体を案内する電気絶縁体製のパイプ５７の一端部が密に嵌合され、その他端部がＸ線管収容容器１１の端壁１１ａに形成された絶縁媒体流通孔１１ｇに密に嵌合され、接続されている。なお、そのすぐ近くにもう一つの絶縁媒体流通孔１１ｈが設けられている。
【００３９】
この実施形態の回転陽極型Ｘ線管及びＸ線管装置の動作においては、中性点接地方式の高電圧電源を接続して、回転陽極１６にプラスの高電位を、陰極構体のフィラメント１８にマイナスの高電位を与える。そして、収容容器１１の一方の絶縁媒体流通孔１１ｇから矢印Ｙｉのように絶縁油等の絶縁媒体を導入し、パイプ状の固定体支持アーム４０から中空状固定体２６の内部を通して図示下端から収容容器１１内に流動させ、他方の絶縁媒体流通孔１１ｈから矢印Ｙｏのように排出させる。なお、絶縁油等の絶縁媒体は、図示しない外部の熱交換器やポンプにより循環させられる構成になっている。
【００４０】
この実施形態によれば、動圧式すべり軸受部分が効率的に冷却されるとともに、陰極構体と高電位差となる導電部材との間の耐電圧性およびコンパクト性が十分維持される。
【００４１】
また、Ｘ線管収容容器の一対の流通孔１１ｇ，１１ｈを共通の１つの端壁部分に近接して設けているので、熱交換器や循環用ポンプ等と接続するホースを隣接して設けることができ、装置全体を小型化できる。
【００４２】
なお、絶縁媒体は、上記の例と反対に、収容容器の流通孔１１ｈから導入してＸ線管と収容容器との間を流動させて固定体２６の図示下方から上方に流動させ、パイプ状の固定体支持アーム４０を通してから絶縁パイプ５７を経て流通孔１１ｇから排出させるように構成することもできる。
【００４３】
図７および図８に示す実施形態は、固定体上部のパイプ状径小延長部３３に連結した中継用短円筒体５６に、２個のパイプ状固定体支持アーム４０，４０を結合し、互いに１８０度反対方向に斜めに延長してそれぞれの端部４０ｂ，４０ｂを中心軸Ｃからずれた位置に設けられた絶縁セラミックス４１，４１の中心部に結合したものである。なお、前述の各実施形態と同一部分は同一符号であらわし、重複した説明を省略する。
【００４４】
ところで、図面上の複雑化を避けるために、図７には陰極構体やＸ線透過窓等の関連部分を記載していない。しかし、それらとの関係は図８に示してある。すなわち、回転陽極型Ｘ線管の真空外囲器のＸ線透過窓１４ｄの近傍に陰極構体１９およびそれを支持する絶縁セラミックス２１が設けられている。そして、中心軸Ｃから互いに反対方向にずれた位置に各パイプ状固定体支持アーム４０，４０が折曲げ延長され、各絶縁セラミックス４１，４１の中央部にそれぞれの端部４０ｂ，４０ｂが固定されている。
【００４５】
この実施形態によれば、２箇所の絶縁媒体流通孔１１ｇから矢印Ｙｉのように絶縁油等の絶縁媒体を導入し、２個のパイプ状の固定体支持アーム４０を通して中継用短円筒体５６の内部で合流させ、中空状固定体２６の内部を通して図示下端から収容容器内に流動させ、他方の絶縁媒体流通孔１１ｈから矢印Ｙｏのように排出させる。
【００４６】
それによって、動圧式すべり軸受部分がさらに効率的に冷却されるとともに、固定体の陰極構体側が対称的な２箇所で真空外囲器に結合されているので、回転陽極の機械的な支持がより安定である。したがって、例えばＣＴスキャナ等の高い重力加速度が加わる用途にも十分耐えることができ、且つ高電位差となる導電部材との間の耐電圧性およびコンパクト性が十分維持される。
【００４７】
図９に示す実施形態は、軸受の中空状固定体の陰極構体側のパイプ状固定体支持アーム４０の端部４０ｂが、真空外囲器１２の金属製端板１４ｅを貫通して気密溶接部４４で結合したものである。この結合位置は、前述の実施形態と同様に、中心軸Ｃに対して陰極構体１９と反対側にずれた位置にある。そして、収容容器１１の端板に設けられた絶縁媒体流通孔１１ｇと支持アームの端部４０ｂとは、金属製の案内パイプ５８で絶縁媒体を案内可能に接続され、且つ電気的にも短絡接続されている。
【００４８】
この実施形態の回転陽極型Ｘ線管およびＸ線管装置は、回転陽極を収容容器とともに接地電位で動作させるのに適している。そして、陰極構体側の耐電圧性は必要十分確保されるとともに、コンパクト性も十分維持される。
【００４９】
ところで、動圧式すべり軸受の構成部材である固定体の陰極構体側の延長端部を真空外囲器に結合する位置は、高電位差となる部材間の放電を未然に防止するために、例えば図１０に斜線Ｐで示した領域に設定することが望ましい。すなわち、中心軸Ｃからずれた位置であって、陰極構体１９およびＸ線透過窓１４ｄから耐電圧性能が得られる距離だけ離れた領域に固定体の陰極構体側延長端部を機械的に結合する。もちろん、固定体の陰極構体側延長端部を真空外囲器の金属製部分から電気的に絶縁して結合する場合は、この電気的な絶縁のための絶縁部材が占める領域を加味して結合位置を定める。
【００５０】
なお、以上述べた実施形態は、軸受が動圧式すべり軸受を有する回転陽極型Ｘ線管の場合であるが、この発明はそれに限らず、玉軸受のようなころがり軸受を持つ回転陽極型Ｘ線管にも適用できる。
【００５１】
【発明の効果】
本発明によれば、長期にわたって軸受の動作が安定化し、あるいは、長期にわたって耐電圧性能を維持でき且つコンパクトな回転陽極型Ｘ線管、およびこれを内蔵したＸ線管装置を実現できる。
【図面の簡単な説明】
【図１】この発明の一実施例を示す縦断面図。
【図２】図１の２−２における横断面図。
【図３】図１の固定体の要部を示す側面図。
【図４】この発明の他の実施例を示す縦断面図。
【図５】この発明のさらに他の実施例を示す縦断面図。
【図６】この発明のさらに他の実施例を示す縦断面図。
【図７】この発明のさらに他の実施例を示す縦断面図。
【図８】図７の８−８における横断面図。
【図９】この発明のさらに他の実施例を示す縦断面図。
【図１０】この発明の固定体延長端部と真空外囲器との結合領域を示す横断面図。
【符号の説明】
１１…Ｘ線管収容容器、
１２…回転陽極型Ｘ線管、
ｅ…電子ビーム、
５４…Ｘ線、
１６…回転陽極、
１９…陰極構体、
２３…回転体、
２６…固定体、
２８、２９…軸受、
１４ｄ…Ｘ線透過窓、
１４…真空外囲器、
Ｃ…回転中心軸、
４０…固定体の延長支持アーム、
４０ｂ…固定体延長端部（結合部）、
４４…結合部、
２８ａ，２８ｂ，３１ａ，３２ａ…動圧式すべり軸受のらせん溝、
５７…絶縁体製パイプ
１１ｇ，１１ｈ…冷却媒体流通孔。
【図１】
0004357094.tif 000002
【図２】
0004357094.tif 000003
【図３】
0004357094.tif 000004
【図４】
0004357094.tif 000005
【図５】
0004357094.tif 000006
【図６】
0004357094.tif 000007
【図７】
0004357094.tif 000008
【図８】
0004357094.tif 000009
【図９】
0004357094.tif 000010
【図１０】
0004357094.tif 000011